(57)【要約】【課題】外部磁束に強く、高分解能な回転状態信号を出力可能なセンサ付軸受装置を提供する。【解決手段】内輪１６と外輪１８との間にボール２０が配置された軸受１２と、回転輪としての内輪１６に支持または、一体に形成された回転部材２２と、静止輪としての外輪１８に支持されて回転部材２２の外周面を包囲する円筒部材２６と、円筒部材２６に配置された一対の検出コイル２８、３０と、各検出コイル２８、３０の出力にしたがって回転部材２２の回転状態を検出する回転状態検出器とを備え、回転部材２２は、磁性材料で構成され、回転部材２２には軸方向に伸びる溝２４が複数状形成され、円筒部材２６には回転部材２２の相対回転位置に応じて溝２４との重なり具合が変化するように窓３２、３４が複数列形成され、各列の窓３２、３４が各検出コイル２８、３０によって包囲され、検出コイル２８、３０からは回転部材２２の回転状態を示す２相信号が出力される。【選択図】図２
2008064633.tif 000002
【特許請求の範囲】
【請求項１】
静止輪と回転輪との間に複数の転動体が配置された軸受と、前記回転輪に支持または、一体に成形された回転部材と、前記静止輪に支持されて前記回転部材の外周面を包囲する円筒部材と、前記円筒部材に配置された一対の検出コイルと、前記一対の検出コイルの出力に従って前記回転部材の回転状態を検出する回転状態検出器とを備え、前記回転部材は、磁性材料で構成され、前記回転部材には軸方向に延びる溝が複数条形成され、前記円筒部材には前記回転部材との相対回転位置に応じて前記溝との重なり具合が変化するように窓が複数列形成され、前記各列の窓が形成された領域を包囲するように前記各検出コイルが配置されてなることを特徴とするセンサ付軸受装置。
【請求項２】
前記回転状態検出器は、前記各検出コイルの出力の比から前記回転部材の回転状態を検出してなることを特徴とする請求項１に記載のセンサ付軸受装置。
【請求項３】
前記回転状態検出器は、前記回転部材の回転状態をアナログ信号で出力してなることを特徴とする請求項１または２に記載のセンサ付軸受装置。
【請求項４】
前記回転状態検出器は、前記回転部材の回転状態をデジタル信号で出力してなることを特徴とする請求項１または２に記載のセンサ付軸受装置。
【請求項５】
前記回転状態検出器は、前記回転部材の回転状態をパルス信号で出力してなることを特徴とする請求項１または２に記載のセンサ付軸受装置。
【発明の詳細な説明】
【技術分野】
【０００１】
本発明は、センサ付軸受装置に係り、特に、ロボットアームや自動車のハブなどの回転支持部分に組み込んで、角度や回転角速度などを検出することに利用することができるセンサ付軸受装置に関する。
【背景技術】
【０００２】
従来、センサとしては、回転軸の角度や回転角速度を検出するものが知られている。これらセンサのうち回転状態検出機能を有するセンサを軸受に付加したセンサ付軸受装置が提案されている。例えば、特許文献１に開示されているように多極に着磁されたマグネットの磁極をホールＩＣで検出し、回転状態を検知するものが公知である。
【特許文献１】特許昭６３−１１１４１６
【発明の開示】
【発明が解決しようとする課題】
【０００３】
しかしながら、上述した従来のセンサ付軸受装置では、高分解能化しようとするにも、エンコーダのＮ・Ｓ極のピッチを小さくするには限界がある。またマグネットにより回転状態を検出する方式では、外部磁束に影響されやすいという課題がある。
【０００４】
そこで、本発明は、前記従来技術の課題に鑑みて為されたものであり、外部磁束に強く、高分解能な回転状態信号を出力可能なセンサ付軸受装置を提供することを目的とする。
【課題を解決するための手段】
【０００５】
前記目的を達成するために、本発明は、静止輪と回転輪との間に複数の転動体が配置された軸受と、前記回転輪に支持または一体に形成された回転部材と、前記静止輪に支持されて前記回転部材の外周面を包囲する円筒部材と、前記円筒部材に配置された一対の検出コイルと、前記一対の検出コイルの出力に従って前記回転部材の回転状態を検出する回転状態検出器とを備え、前記回転部材は、磁性材料で構成され、前記回転部材には軸方向に延びる溝が複数条形成され、前記円筒部材には前記回転部材との相対回転位置に応じて前記溝との重なり具合が変化するように窓が複数列形成され、前記各列の窓が形成された領域を包囲するように前記各検出コイルが配置されてなることを特徴とするセンサ付軸受装置を構成したものである。
【０００６】
本発明によれば、円筒部材の内側には磁性材料からなる回転部材が配置され、回転部材には複数状の溝が円筒部材の窓と同期を持って形成されており、磁界中に置かれた磁性材料により回転部材が磁化されて、磁束を発生する際に、その量は飽和に至るまで磁界の強さに応じて大きくなる。このため、円筒部材によって作られる円周方向に周期的な強弱と半径方向に勾配を有する磁界によって、回転部材の磁束は円筒部材との相対的な位相によって増減する。この磁束が最大となる位相は窓の中心と、溝と溝との間の凸部の中心とが一致した状態であり、磁束の増減に応じて、一対の検出コイルのインダクタンスも増減し、その変化は、ほぼ正弦波状となる。しかも、各窓は互いに位相差を持つように形成されているので、各検出コイルからは、回転部材の回転状態として、位相差を持った２相信号が出力されることになり、２相信号を回転状態検出器で演算することにより高分解能化が可能である。また、磁気エンコーダを使用しない構造のため、外部磁束に強く回転部材の回転状態を高精度に検出することができる。
【発明の効果】
【０００７】
本発明によれば、外部磁束に強く高分解能化が可能となり、回転部材の回転状態を高精度に検出することができる。
【発明を実施するための最良の形態】
【０００８】
以下、本発明の一実施の形態を図面に基づいて説明する。図１は、本発明の一実施例を示すセンサ付軸受装置の斜視図、図２は、本発明の一実施例を示すセンサ付軸受装置の分解斜視図である。図１および図２において、センサ付軸受装置１０は、軸受１２を備え、軸受１２には、軸受１２の回転状態を検出するためのセンサ１４が付加されている。軸受１２は、内輪１６と、外輪１８と、内輪１６と外輪１８との間に装着された転動体としてのボール２０を複数個備えて構成されており、内輪１６、外輪１８のうち一方が静止輪となり、他方が回転輪となって軸受装置を構成するようになっている。内輪１６を回転輪とした場合、内輪１６にはほぼ円筒状に形成された回転部材２２が支持される。回転部材２２は磁性体として、磁性材料を用いて構成されており、その外周側には複数の凹凸部が等間隔で周方向に沿って形成されている。各凹凸部のうち凹部は溝２４として形成され、凸部は溝２４と溝２４との間に形成されている。すなわち回転部材２２の外周側には、軸方向に伸びる溝２４が複数条形成されており、各条の溝２４は回転部材２２の周方向において等間隔で形成されている。回転部材２２の外側には円筒部材２６が配置されており、円筒部材２６の外周側には一対の検出コイル２８、３０が配置されている。円筒部材２６、検出コイル２８、３０は静止輪としての外輪１８に支持されている。
【０００９】
円筒部材２６は、導電性で且つ非磁性の材料から形成されており、この円筒部材２６には、その周方向に沿って等間隔に離隔した長方形の複数の窓３２、３４が複数列、位相が互いに９０度ずれるように形成されている。そして、検出コイル２８、３０は、各列の窓３２、３４をそれぞれ包囲するように配置されている。各検出コイル２８、３０は、回転状態検出器（図示せず）に接続されており、各検出コイル２８、３０には、回転状態検出器から正弦波状の電圧が印加されるようになっている。回転状態検出器は、各検出コイル２８、３０に正弦波状の電圧を印加して各検出コイル２８、３０に起電力を誘導させて、この起電力を基に回転部材２２の回転状態としてその角度を算出するように構成されている。
【００１０】
上記構成において、内輪１６が回転輪として回転すると、それに伴って回転部材２２が回転する。この際、円筒部材２６に窓３２、３４がない状態では、円筒部材２６は導電性で且つ非磁性の材料で構成されていることから、検出コイル２８、３０に交流電流を流して検出コイル２８、３０内部に交番磁界を生じさせると、円筒部材２６の外周面には各検出コイル２８、３０に流れるコイル電流とは反対方向の渦電流が発生する。この渦電流による磁界と検出コイル２８、３０による磁界とを重ね合わせると、円筒部材２６の内側の磁界は相殺される。
【００１１】
これに対して、円筒部材２６に、窓３２、３４を２列に設けた場合、円筒部材２６の外周面に生じた渦電流は、窓３２、３４によって外周面を周回できないため、窓３２、３４の端面に沿って円筒部材２６の内周面側に回りこみ、その内周面をコイル電流と同一方向に流れ、さらに相隣接する窓３２または窓３４の端面に沿って外周面側に戻り、ループを形成する。つまり、検出コイル２８、３０の内側に、渦電流のループを周方向に周期的に配置した状態となる。
【００１２】
円筒部材２６の内側には、磁性材料からなる回転部材２２が同軸に配置され、その回転部材２２には軸方向に沿って溝２４が、窓３２、３４と同じ周期で形成されているので、磁界中に置かれた回転部材２２は磁化されて磁束を発生するが、その量は飽和に至るまでには磁界の強さに応じて大きくなる。
【００１３】
このため、円筒部材２６によって作られる周方向に周期的な強弱と半径方向に勾配を有する磁界によって、回転部材２２の磁束は、円筒部材２６との相対的な位相によって増減する。このとき、磁束が最大となる位相は、各窓３２、３４の中心と、溝２４と溝２４との間の凸部の中心とが一致した状態であり、磁束の増減に応じて、検出コイル２８、３０のインダクタンスも増減する。その変化は、ほぼ正弦波状となる。このとき、窓３２、３４は互いに９０度の位相を持つように形成されているので、検出コイル２８、３０からは、回転部材２２の回転状態を示す信号として、90度の位相差をもった２相信号が出力される。回転状態検出器は、入力された２相信号を基に回転部材２２の回転状態として、回転部材２２の角度・回転速度・回転方向などを演算することができ、角度・回転速度・回転方向などの演算結果をアナログ信号、デジタル信号あるいはパルス信号で出力する。この際、回転状態検出器において、特に１周期を分割してパルスを生成すれば、「１周期のパルス数×周期数」のパルスを生成することができ、高分解能化が可能である。
【００１４】
また回転状態検出器は軸受に組み込んでもよいし、外付けであってもよい。
また、上記実施の形態においては、玉軸受に適用した例を示したが、これに限定するものではなく、円錐ころ軸受・ニードル軸受・ころ軸受・複列軸受・その他任意の種類の軸受に適用してもよい。
【００１５】
また、上記実態の形態において、回転部材２２は、内輪１６に支持された構造としているが、回転部材２２と内輪１６を一体で形成すると、部品点数が削減できるので好ましい。また、上記実施の形態においては窓３２・３４の位相差は９０度で形成しているが、これに限定するものではない。しかし、位相差を９０度にすると２相信号の位相差が９０度となり、角度の算出が容易となるので、９０度の位相差が好ましい。
【００１６】
本実施の形態によれば、磁気エンコーダ方式とは異なり、外部磁束に強く、高分解能化が可能であって、回転部材２２の回転状態を高精度に検出することができる。
【図面の簡単な説明】
【００１７】
【図１】本発明の一実施例を示すセンサ付軸受装置の斜視図である。
【図２】本発明の一実施例を示すセンサ付軸受装置の分解斜視図である。
【符号の説明】
【００１８】
１０  センサ付軸受装置
１２  軸受
１４  センサ
１６  内輪
１８  外輪
２０  ボール
２２  回転部材
２４  溝
２６  円筒部材
２８、３０  検出コイル
３２、３４  窓
【図１】
2008064633.tif 000003
【図２】
2008064633.tif 000004